【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
第１判別を実行可能な第１判別手段と、
その第１判別手段による判別結果を示すための第１識別情報を所定期間動的表示させる第１動的表示手段と、
前記第１識別情報が表示される第１表示手段と、
第２判別を実行可能な第２判別手段と、
その第２判別手段による判別結果を示すための第２識別情報を所定期間動的表示させる第２動的表示手段と、
前記第２識別情報が表示される第２表示手段と、
前記第１表示手段に特定の第１判別結果を示すための前記第１識別情報が停止表示された場合、或いは、前記第２表示手段に特定の第２判別結果を示すための前記第２識別情報が停止表示された場合に、それぞれに対応する特典遊技を実行可能な特典遊技実行手段と、
前記第１識別情報の動的表示中に前記第２判別手段の判別が実行されたことに基づいて、前記動的表示中の第１識別情報に対応する前記第１判別手段の判別結果を示唆するための示唆演出を実行可能な示唆演出実行手段と、を有するものであることを特徴とする遊技機。
【請求項２】
前記示唆演出実行手段は、前記第１判別手段の判別結果が前記特定の第１判別結果である場合に、前記示唆演出を実行可能であることを特徴とする請求項１記載の遊技機。
【請求項３】
前記示唆演出実行手段は、前記第２識別情報の表示態様を用いて前記示唆演出を実行可能であることを特徴とする請求項１または２記載の遊技機。
【請求項４】
前記示唆演出実行手段により実行される前記示唆演出の演出態様を設定可能な演出態様設定手段を有し、
前記演出態様設定手段は、第１示唆態様と、その第１示唆態様よりも前記第１判別手段の判別結果を分かり難く示唆する第２示唆態様とを設定可能であることを特徴とする請求項１から３の何れかに記載の遊技機。
【請求項５】
前記示唆演出実行手段により実行された前記示唆演出の実行回数を計測可能な回数計測手段を有し、
前記演出態様設定手段は、前記回数計測手段により計測された前記示唆演出の実行回数が所定回数である場合よりも、その所定回数よりも多い特定回数である場合のほうが前記第１示唆態様を設定し易いものであることを特徴とする請求項４記載の遊技機。
【手続補正２】
【補正対象書類名】明細書
【補正対象項目名】０００６
【補正方法】変更
【補正の内容】
【０００６】
この目的を達成するために請求項１記載の遊技機は、第１判別を実行可能な第１判別手段と、その第１判別手段による判別結果を示すための第１識別情報を所定期間動的表示させる第１動的表示手段と、前記第１識別情報が表示される第１表示手段と、第２判別を実行可能な第２判別手段と、その第２判別手段による判別結果を示すための第２識別情報を所定期間動的表示させる第２動的表示手段と、前記第２識別情報が表示される第２表示手段と、前記第１表示手段に特定の第１判別結果を示すための前記第１識別情報が停止表示された場合、或いは、前記第２表示手段に特定の第２判別結果を示すための前記第２識別情報が停止表示された場合に、それぞれに対応する特典遊技を実行可能な特典遊技実行手段と、前記第１識別情報の動的表示中に前記第２判別手段の判別が実行されたことに基づいて、前記動的表示中の第１識別情報に対応する前記第１判別手段の判別結果を示唆するための示唆演出を実行可能な示唆演出実行手段と、を有するものである。
【手続補正３】
【補正対象書類名】明細書
【補正対象項目名】０００７
【補正方法】変更
【補正の内容】
【０００７】
請求項２記載の遊技機は、請求項１記載の遊技機において、前記示唆演出実行手段は、前記第１判別手段の判別結果が前記特定の第１判別結果である場合に、前記示唆演出を実行可能である。
【手続補正４】
【補正対象書類名】明細書
【補正対象項目名】０００８
【補正方法】変更
【補正の内容】
【０００８】
請求項３記載の遊技機は、請求項１または２記載の遊技機において、前記示唆演出実行手段は、前記第２識別情報の表示態様を用いて前記示唆演出を実行可能である。
【手続補正５】
【補正対象書類名】明細書
【補正対象項目名】０００９
【補正方法】変更
【補正の内容】
【０００９】
請求項４記載の遊技機は、請求項１から３の何れかに記載の遊技機において、前記示唆演出実行手段により実行される前記示唆演出の演出態様を設定可能な演出態様設定手段を有し、前記演出態様設定手段は、第１示唆態様と、その第１示唆態様よりも前記第１判別手段の判別結果を分かり難く示唆する第２示唆態様とを設定可能である。
【手続補正６】
【補正対象書類名】明細書
【補正対象項目名】００１０
【補正方法】変更
【補正の内容】
【００１０】
請求項５記載の遊技機は、請求項４記載の遊技機において、前記示唆演出実行手段により実行された前記示唆演出の実行回数を計測可能な回数計測手段を有し、前記演出態様設定手段は、前記回数計測手段により計測された前記示唆演出の実行回数が所定回数である場合よりも、その所定回数よりも多い特定回数である場合のほうが前記第１示唆態様を設定し易いものである。
【手続補正７】
【補正対象書類名】明細書
【補正対象項目名】００１１
【補正方法】変更
【補正の内容】
【００１１】
請求項１記載の遊技機によれば、第１判別を実行可能な第１判別手段と、その第１判別手段による判別結果を示すための第１識別情報を所定期間動的表示させる第１動的表示手段と、前記第１識別情報が表示される第１表示手段と、第２判別を実行可能な第２判別手段と、その第２判別手段による判別結果を示すための第２識別情報を所定期間動的表示させる第２動的表示手段と、前記第２識別情報が表示される第２表示手段と、前記第１表示手段に特定の第１判別結果を示すための前記第１識別情報が停止表示された場合、或いは、前記第２表示手段に特定の第２判別結果を示すための前記第２識別情報が停止表示された場合に、それぞれに対応する特典遊技を実行可能な特典遊技実行手段と、前記第１識別情報の動的表示中に前記第２判別手段の判別が実行されたことに基づいて、前記動的表示中の第１識別情報に対応する前記第１判別手段の判別結果を示唆するための示唆演出を実行可能な示唆演出実行手段と、を有するものである。
【手続補正８】
【補正対象書類名】明細書
【補正対象項目名】００１３
【補正方法】変更
【補正の内容】
【００１３】
請求項２記載の遊技機によれば、請求項１記載の遊技機の奏する効果に加え、次の効果を奏する。即ち、前記示唆演出実行手段は、前記第１判別手段の判別結果が前記特定の第１判別結果である場合に、前記示唆演出を実行可能である。
【手続補正９】
【補正対象書類名】明細書
【補正対象項目名】００１５
【補正方法】変更
【補正の内容】
【００１５】
請求項３記載の遊技機によれば、請求項１または２記載の遊技機の奏する効果に加え、次の効果を奏する。即ち、前記示唆演出実行手段は、前記第２識別情報の表示態様を用いて前記示唆演出を実行可能である。
【手続補正１０】
【補正対象書類名】明細書
【補正対象項目名】００１７
【補正方法】変更
【補正の内容】
【００１７】
請求項４記載の遊技機によれば、請求項１から３の何れかに記載の遊技機の奏する効果に加え、次の効果を奏する。即ち、前記示唆演出実行手段により実行される前記示唆演出の演出態様を設定可能な演出態様設定手段を有し、前記演出態様設定手段は、第１示唆態様と、その第１示唆態様よりも前記第１判別手段の判別結果を分かり難く示唆する第２示唆態様とを設定可能である。
【手続補正１１】
【補正対象書類名】明細書
【補正対象項目名】００１９
【補正方法】変更
【補正の内容】
【００１９】
請求項５記載の遊技機によれば、請求項４記載の遊技機の奏する効果に加え、次の効果を奏する。即ち、前記示唆演出実行手段により実行された前記示唆演出の実行回数を計測可能な回数計測手段を有し、前記演出態様設定手段は、前記回数計測手段により計測された前記示唆演出の実行回数が所定回数である場合よりも、その所定回数よりも多い特定回数である場合のほうが前記第１示唆態様を設定し易いものである。
【手続補正１２】
【補正対象書類名】明細書
【補正対象項目名】２９１４
【補正方法】変更
【補正の内容】
【２９１４】
上述した各遊技機のいずれかにおいて、前記遊技機はパチンコ遊技機とスロットマシンとを融合させたものであることを特徴とする遊技機γ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
従来より、パチンコ機などの遊技機は、遊技盤面上に設けられた始動口に遊技球が入球すると、遊技の当否が抽選され、その抽選結果が当たりであった場合には、遊技者に有利となる特典遊技が実行されるものがある（例えば、特許文献１：特開２０１２−２１７７６６号公報）。
しかしながら、更なる遊技の興趣向上が求められていた。
本技術的思想は、上記例示した問題点等を解決するためになされたものであり、遊技者の興趣を向上できる遊技機を提供することを目的とする。
＜手段＞
この目的を達成するために技術的思想１の遊技機は、第１判定を実行可能な第１判定手段と、その第１判定手段による判定結果を示すための第１識別情報が表示される第１表示手段と、その第１表示手段に前記第１識別情報を動的表示させる動的表示手段と、その動的表示手段により前記第１識別情報を動的表示させる動的表示期間を設定する動的表示期間設定手段と、第２判定を実行可能な第２判定手段と、その第２判定手段による判定結果を示すための第２識別情報が表示される第２表示手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有するものであり、前記第１判定よりも前記第２判定が実行され易くする第１遊技状態と、前記第２判定よりも前記第１判定が実行され易くする第２遊技状態と、を設定可能な遊技状態設定手段を有し、前記遊技状態設定手段は、所定条件が成立している場合に、前記第１識別情報が動的表示される前記動的表示期間において前記第１遊技状態を設定可能とするものである。
技術的思想２の遊技機は、技術的思想１記載の遊技機において、前記第２判定手段は、前記第１判定手段が前記特定の第１判定結果を判定する確率よりも高い確率で前記特定の第２判定結果を判定するように構成されているものである。
技術的思想３の遊技機は、技術的思想１また２記載の遊技機において、遊技球が入球可能な第１入球手段と、その第１入球手段とは異なる第２入球手段と、前記第１入球手段と、前記第２入球手段とは異なる第３入球手段と、前記第２入球手段へと遊技球を誘導可能な第１状態とその第１状態よりも前記第２入球手段への入球が困難となる第２状態とに可変可能な可変手段と、を有し、前記第１判定手段は、前記第１入球手段、或いは前記第２入球手段に遊技球が入球することに基づいて前記第１判定を実行可能に構成され、前記第２判定手段は、前記第３入球手段に遊技球が入球することに基づいて前記第２判定を実行可能に構成され、前記第２遊技状態では、前記第１遊技状態よりも前記可変手段が前記第１状態に可変され易く制御されるものである。
技術的思想４の遊技機は、技術的思想３記載の遊技機において、前記第１特典遊技が実行された後に、前記第１判定により前記特定の第１判定結果と判定される確率を通常時よりも高い高確率を設定することが可能な高確率設定手段を有し、前記遊技状態設定手段は、前記高確率設定手段により前記高確率が設定されている場合に、前記特定の第１判定結果を示すための前記第１識別情報で表示されこととなる前記第１識別情報の動的表示の開始に基づいて、前記第１遊技状態を設定するものである。
技術的思想５の遊技機は、技術的思想１から４のいずれかに記載の遊技機において、前記第２特典遊技は、前記第１特典遊技よりも遊技者に付与されることが可能な特典が少なく設定されているものである。
＜効果＞
技術的思想１記載の遊技機によれば、第１判定を実行可能な第１判定手段と、その第１判定手段による判定結果を示すための第１識別情報が表示される第１表示手段と、その第１表示手段に前記第１識別情報を動的表示させる動的表示手段と、その動的表示手段により前記第１識別情報を動的表示させる動的表示期間を設定する動的表示期間設定手段と、第２判定を実行可能な第２判定手段と、その第２判定手段による判定結果を示すための第２識別情報が表示される第２表示手段と、前記第１表示手段に特定の第１判定結果を示すための前記第１識別情報が表示された場合に、第１特典遊技を実行し、前記第２表示手段に特定の第２判定結果を示すための前記第２識別情報が表示された場合に、第２特典遊技を実行する特典遊技実行手段と、を有するものであり、前記第１判定よりも前記第２判定が実行され易くする第１遊技状態と、前記第２判定よりも前記第１判定が実行され易くする第２遊技状態と、を設定可能な遊技状態設定手段を有し、前記遊技状態設定手段は、所定条件が成立している場合に、前記第１識別情報が動的表示される前記動的表示期間において前記第１遊技状態を設定可能とするものである。
よって、遊技者の興趣を向上することができるという効果がある。
技術的思想２記載の遊技機によれば、技術的思想１記載の遊技機の奏する効果に加え、次の効果を奏する。即ち、前記第２判定手段は、前記第１判定手段が前記特定の第１判定結果を判定する確率よりも高い確率で前記特定の第２判定結果を判定するように構成されているものである。
よって、遊技者の興趣を向上することができるという効果がある。
技術的思想３記載の遊技機によれば、技術的思想１または２記載の遊技機の奏する効果に加え、次の効果を奏する。即ち、遊技球が入球可能な第１入球手段と、その第１入球手段とは異なる第２入球手段と、前記第１入球手段と、前記第２入球手段とは異なる第３入球手段と、前記第２入球手段へと遊技球を誘導可能な第１状態とその第１状態よりも前記第２入球手段への入球が困難となる第２状態とに可変可能な可変手段と、を有し、前記第１判定手段は、前記第１入球手段、或いは前記第２入球手段に遊技球が入球することに基づいて前記第１判定を実行可能に構成され、前記第２判定手段は、前記第３入球手段に遊技球が入球することに基づいて前記第２判定を実行可能に構成され、前記第２遊技状態では、前記第１遊技状態よりも前記可変手段が前記第１状態に可変され易く制御されるものである。
よって、遊技者の興趣を向上することができるという効果がある。
技術的思想４記載の遊技機によれば、技術的思想３記載の遊技機の奏する効果に加え、次の効果を奏する。即ち、前記第１特典遊技が実行された後に、前記第１判定により前記特定の第１判定結果と判定される確率を通常時よりも高い高確率を設定することが可能な高確率設定手段を有し、前記遊技状態設定手段は、前記高確率設定手段により前記高確率が設定されている場合に、前記特定の第１判定結果を示すための前記第１識別情報で表示されこととなる前記第１識別情報の動的表示の開始に基づいて、前記第１遊技状態を設定するものである。
よって、遊技者の興趣を向上することができるという効果がある。
技術的思想５記載の遊技機によれば、技術的思想１から４のいずれかに記載の遊技機の奏する効果に加え、次の効果を奏する。即ち、前記第２特典遊技は、前記第１特典遊技よりも遊技者に付与されることが可能な特典が少なく設定されているものである。
よって、遊技者の興趣を向上することができるという効果がある。
【手続補正１３】
【補正対象書類名】明細書
【補正対象項目名】２９１５
【補正方法】変更
【補正の内容】
【２９１５】
１０                        パチンコ機（遊技機）
Ｓ３０６                    第１判別手段
Ｓ５０８                    第１動的表示手段
Ｓ９０５                    第２判別手段
Ｓ２２０４                  特典遊技実行手段
Ｓ５３９２ 示唆演出実行手段